【手続補正書】
【提出日】令和3年7月23日(2021.7.23)
【手続補正１】
【補正対象書類名】特許請求の範囲
【補正対象項目名】全文
【補正方法】変更
【補正の内容】
【特許請求の範囲】
【請求項１】
通信インタフェースシステムにおけるマスターマイクロコントローラであって、
２ワイヤ通信ケーブルに結合されるように適合されるトランスミッタであって、
可変範囲の周波数の選択された周波数でクロック信号を生成し、
クロック学習モードの間に所定の時間期間の間に前記クロック信号を提供し、
前記所定の時間期間の後に所定のテストパターンを送信し、
データ転送モードの間に前記選択された周波数でマスターデータ信号リクエストを提供する、
ように構成される、前記トランスミッタと、
前記２ワイヤ通信ケーブに結合されるように適合されるレシーバであって、
前記所定のテストパターンの送信に応答して所定の応答パターンを受信し、
前記データ転送モードの間に前記マスターデータ信号リクエストに応答して前記選択された周波数でスレーブデータ信号を受信する、
ように構成される、前記レシーバと、
を含む、マスターマイクロコントローラ。
【請求項２】
請求項１に記載のマスターマイクロコントローラであって、
前記クロック信号が電力を供給するように構成される、マスターマイクロコントローラ。
【請求項３】
請求項１に記載のマスターマイクロコントローラであって、
前記レシーバが所定の応答パターンを受信することに応答して、前記トランスミッタが、前記クロック学習モードからフリークロッキングモードに切り替えるように更に構成されており、前記フリークロッキングモードにおいて、前記データ転送モードの間に前記マスターデータ信号リクエストを送信するように前記マスターマイクロコントローラが命令されるまで、前記トランスミッタが前記クロック信号を前記選択された周波数で提供する、マスターマイクロコントローラ。
【請求項４】
請求項１に記載のマスターマイクロコントローラであって、
前記レシーバが所定の応答パターンを受信しないことに応答して、前記トランスミッタが前記クロック学習モードに戻るように更に構成される、マスターマイクロコントローラ。
【請求項５】
請求項１に記載のマスターマイクロコントローラであって、
前記マスターデータ信号リクエストの各々が、差し迫ったマスターデータ信号リクエストを示すように構成される所定のヘッダーパターンと、前記マスターデータ信号リクエストを含むデータ部分と、前記マスターデータ信号リクエストの終わりを示すように構成される所定のテールパターンとを含む、マスターマイクロコントローラ。
【請求項６】
請求項１に記載のマスターマイクロコントローラであって、
前記マスターマイクロコントローラがＲＳ−４８５マスターマイクロコントローラとして構成される、マイクロコントローラ。
【請求項７】
通信インタフェースシステムにおけるスレーブマイクロコントローラであって、
２ワイヤ通信ケーブルに結合されるように適合されるレシーバであって、
クロック学習モードの間に所定の時間期間の間にある周波数でクロック信号を受信し、
所定のテストパターンを受信し、
データ転送モードの間に前記周波数でマスターデータ信号リクエストを受信する、
ように構成される、前記レシーバと、
前記２ワイヤ通信ケーブルに結合されるように適合されるトランスミッタであって、
前記所定のテストパターンを受信することに応答して所定の応答パターンを送信し、
前記データ転送モードの間に前記マスターデータ信号リクエストを受信することに応答して前記周波数でスレーブデータ信号を送信する、
ように構成される、前記トランスミッタと、
を含む、スレーブマイクロコントローラ。
【請求項８】
マスターマイクロコントローラとスレーブマイクロコントローラとの間の通信インタフェースシステムにおいて２ワイヤ通信を提供する方法であって、
可変範囲の周波数の選択された周波数でクロック信号を生成することと、
前記クロック信号を前記マスターマイクロコントローラから前記スレーブマイクロコントローラへ２ワイヤ通信ケーブルを介して提供することと、
前記スレーブマイクロコントローラにおいて前記クロック信号の前記選択された周波数を学習することと、
前記スレーブマイクロコントローラが前記選択された周波数を学習することに応答して前記２ワイヤ通信ケーブルを介して前記選択された周波数で前記マスターマイクロコントローラから前記スレーブマイクロコントローラに所定のテストパターンを送信することと、
前記所定のテストパターンの送信に応答して前記２ワイヤ通信ケーブルを介して前記選択された周波数で前記スレーブマイクロコントローラから前記マスターマイクロコントローラに所定の応答パターンを送信することと、
前記マスターマイクロコントローラと前記スレーブマイクロコントローラとの間で前記２ワイヤ通信ケーブルを介して前記選択された周波数でデータを送信することと、
を含む、方法。
【請求項９】
請求項８に記載の方法であって、
前記データを送信することが、
データ転送モードの間に前記２ワイヤ通信ケーブルを介して前記選択された周波数で前記マスターマイクロコントローラから前記スレーブマイクロコントローラにマスターデータ信号リクエストを送信することと、
データ転送モードの間に前記２ワイヤ通信ケーブルを介して前記選択された周波数で前記スレーブマイクロコントローラから前記マスターマイクロコントローラにスレーブデータ信号を送信することと、
を含む、方法。
【請求項１０】
請求項９に記載の方法であって、
前記マスターデータ信号リクエストを送信することが、前記スレーブマイクロコントローラへの差し迫ったマスターデータ信号リクエストを示すように構成される所定のヘッダーパターンと、前記マスターデータ信号リクエストを含むデータ部分と、前記マスターデータ信号リクエストの終わりを示すように構成される所定のテールパターンとを含む前記マスターデータ信号リクエストを送信することを含む、方法。
【請求項１１】
請求項８に記載の方法であって、
前記クロック信号を提供することが、前記２ワイヤ通信ケーブル上で前記クロック信号を介して前記マスターマイクロコントローラから前記スレーブマイクロコントローラに電力を供給することを含む、方法。
【請求項１２】
マスターマイクロコントローラとスレーブマイクロコントローラと前記マスターマイクロコントローラと前記スレーブマイクロコントローラとを相互接続する２ワイヤ通信ケーブルとを含む通信インタフェースシステムであって、
前記マスターマイクロコントローラが、
可変周波数のクロック信号を生成し、
クロック学習モードの間に前記２ワイヤ通信ケーブル上で前記スレーブマイクロコントローラに指定の時間期間の間に前記クロック信号を提供し、
前記所定の時間期間の後に前記スレーブマイクロコントローラに所定のテストパターンを送信し、
選択された周波数でマスターデータ信号リクエストを生成する、
ように構成され、
前記スレーブマイクロコントローラが、
前記クロック信号を受信し、
前記クロック学習モードの間に前記選択された周波数を学習し、
前記所定のテストパターンを受信し、
前記所定のテストパターンを受信することに応答して前記マスターマイクロコントローラに所定の応答パターンを送信し、
前記マスターデータ信号リクエストを受信し、
前記マスターデータ信号リクエストに応答して前記選択された周波数でスレーブデータ信号を生成する、
ように構成され、
前記２ワイヤ通信ケーブルが、前記マスターデータ信号リクエストと前記スレーブデータ信号とを伝播するように構成される、通信インタフェースシステム。
【請求項１３】
請求項１２に記載の通信インタフェースシステムであって、
前記クロック信号が、前記２ワイヤ通信ケーブルを介して前記スレーブマイクロコントローラに電力を供給するように構成される、通信インタフェースシステム。
【請求項１４】
請求項１２に記載の通信インタフェースシステムであって、
前記マスターマイクロコントローラが前記所定の応答パターンを受信することに応答して、前記マスターマイクロコントローラが、前記クロック学習モードからフリークロッキングモードに切り替えるように更に構成されており、前記フリークロッキングモードにおいて、前記マスターマイクロコントローラが、前記データ転送モードの間前記マスターデータ信号リクエストを前記スレーブマイクロコントローラに送信するように前記マスターマイクロコントローラが命令されるまで、前記マスターマイクロコントローラが前記選択された周波数で前記クロック信号を前記スレーブマイクロコントローラに提供する、通信インタフェースシステム。
【請求項１５】
請求項１２に記載の通信インタフェースシステムであって、
前記マスターマイクロコントローラが前記所定の応答パターンを受信しないことに応答して、前記マスターマイクロコントローラが、前記クロック学習モードに戻るように更に構成される、通信インタフェースシステム。
【請求項１６】
請求項１２に記載の通信インタフェースシステムであって、
前記マスターデータ信号リクエストの各々が、前記スレーブマイクロコントローラへの差し迫ったマスターデータ信号リクエストを示すように構成される所定のヘッダーパターンと、前記マスターデータ信号リクエストを含むデータ部分と、前記マスター信号リクエストの終わりを示すように構成される所定のテールパターンとを含む、通信インタフェースシステム。